(57)【特許請求の範囲】
【請求項１】
複数のユーザ機器(UE)にサービスをするためのサービス用仮想送信ポイント(VTP)の構成を選択する方法であって、
複数のVTP構成を識別するステップであって、
各VTP構成は、複数のVTPの間での送信ポイント(TP)の割り当てを表し、
各VTPは、少なくとも1つのTPを備える、ステップと、
前記複数のVTP構成の各々について、少なくとも1つのUE中心の基準に従って、前記複数のUE内の選択されたUEについての潜在的なサービス用VTPを識別するステップと、
測定パラメータに従って、スケジューリングされるチャンネルリソースについて前記潜在的なサービス用VTPのためのUE測定セットをスケジューリングするステップと、
前記選択されたUEから受信されるUE測定フィードバックに従って、前記複数のVTP構成からサービス用VTP構成を選択するステップと
を含み、
前記測定パラメータは、前記複数のVTP構成の間の類似度、前記UEの各々の重要度、前記複数のVTP構成の各々の重要度、および潜在的な干渉物TPから受信する相対パワーを含む、方法。
【請求項２】
前記UE測定セットは、前記複数のVTP構成の第1のVTP構成についての第1のグループのUE測定を含み、前記複数のVTP構成の第2のVTP構成についての第2のグループのUE測定を、前記第2のグループのUE測定が、前記第1のVTP構成および前記第2のVTP構成に共通する少なくとも1つのTP割り当てに対応するときに、除外する、請求項1に記載の方法。
【請求項３】
前記複数のVTP構成のそれぞれの重要度は、どのくらい頻繁に前記複数のVTP構成の各々が前記サービス用VTP構成として選択されるかに従って設定される、請求項1に記載の方法。
【請求項４】
前記UE測定セットは、より重要なVTP構成よりもより重要でないVTP構成についての周波数ドメインにおいて、より少ないUE測定を含む、請求項3に記載の方法。
【請求項５】
前記UE測定セットは、より重要なVTP構成よりもより重要でないVTP構成についての時間ドメインにおいて、より少ないUE測定を含む、請求項3に記載の方法。
【請求項６】
前記UE測定セットは、セルエッジに近くないUEについてのUE測定を除外する、請求項1に記載の方法。
【請求項７】
前記UE測定セットは、時間ドメインおよび周波数ドメインにおいて、低受信パワーを有する干渉測定よりもより頻繁に高受信パワーを有する干渉測定を含む、請求項1に記載の方法。
【請求項８】
前記UE測定フィードバックは、第1のVTP構成についてのUE測定のために送信されたパイロットを使用して第2のVTP構成について行われるUE測定を含む、請求項1に記載の方法。
【請求項９】
前記サービス用VTP構成を選択するステップは、前記選択されたUEのためのそれぞれのサービス用VTPとして、前記サービス用VTP構成について前記潜在的なサービス用VTPを選択するステップを含む、請求項1に記載の方法。
【請求項１０】
前記潜在的なサービス用VTPを識別する前記ステップ、前記UE測定セットをスケジューリングする前記ステップ、および前記サービス用VTP構成を選択する前記ステップは、複数の選択されたUEについて行われる、請求項1に記載の方法。
【請求項１１】
前記少なくとも1つのUE中心の基準は、UE位置を含む、請求項1に記載の方法。
【請求項１２】
前記少なくとも1つのUE中心の基準は、UEサービス品質(QoS)を含む、請求項1に記載の方法。
【請求項１３】
前記少なくとも1つのUE中心の基準は、UE体感品質(QoE)を含む、請求項1に記載の方法。
【請求項１４】
複数のユーザ機器(UE)がその中に配置される領域にサービスをする送信ポイント(TP)を有するワイヤレス通信システムのためのコントローラであって、
複数の仮想送信ポイント(VTP)構成を記憶するように構成されるメモリであって、前記TPは、複数のVTP構成に従って複数のVTPに割り当て可能であり、VTP構成の各々は、前記TPの割り当てを表す、メモリと、
前記TPおよび前記複数のUE内の選択されたUEにUE測定命令を送信し、前記TPおよび前記複数のUE内の選択されたUEからUE測定フィードバックを受信するように構成されるトランシーバと、
前記メモリおよび前記トランシーバに結合され、
前記複数のVTP構成の各々について、少なくとも1つのUE中心の基準に従って、前記選択されたUEについて潜在的なサービス用VTPを識別し、
測定パラメータに従って、スケジューリングされたチャンネルリソースについて前記潜在的なサービス用VTPのためのUE測定セットをスケジューリングし、
前記UE測定セットに従って、前記UE測定命令を生成し、前記トランシーバに前記UE測定命令を送信させ、
前記トランシーバによって前記選択されたUEから受信されるUE測定フィードバックに従って、前記複数のVTP構成からサービス用VTP構成を選択する
ように構成される、プロセッサと
を備え、
前記測定パラメータは、前記複数のVTP構成の間の類似度、前記UEの各々の重要度、前記複数のVTP構成の各々の重要度、および潜在的な干渉物TPから受信する相対パワーを含む、コントローラ。
【請求項１５】
前記UE測定セットは、前記複数のVTP構成の第1のVTP構成についての第1のグループのUE測定を含み、前記複数のVTP構成の第2のVTP構成についての第2のグループのUE測定を、前記第2のグループのUE測定が、前記第1のVTP構成および前記第2のVTP構成に共通する少なくとも1つのTP割り当てに対応するときに、除外する、請求項14に記載のコントローラ。
【請求項１６】
前記複数のVTP構成のそれぞれの重要度は、どのくらい頻繁に前記複数のVTP構成の各々が前記サービス用VTP構成として選択されるかに従って設定される、請求項14に記載のコントローラ。
【請求項１７】
前記UE測定セットは、より重要なVTP構成よりもより重要でないVTP構成について周波数ドメインにおいて、より少ないUE測定を含む、請求項16に記載のコントローラ。
【請求項１８】
前記UE測定セットは、より重要なVTP構成よりもより重要でないVTP構成について時間ドメインにおいて、より少ないUE測定を含む、請求項16に記載のコントローラ。
【請求項１９】
前記UE測定セットは、セルエッジに近くないUEについてのUE測定を除外する、請求項14に記載のコントローラ。
【請求項２０】
前記UE測定セットは、時間ドメインおよび周波数ドメインにおいて、低受信パワーを有する干渉測定よりもより頻繁に高受信パワーを有する干渉測定を含む、請求項14に記載のコントローラ。
【請求項２１】
前記UE測定フィードバックは、第1のVTP構成についてのUE測定のために送信されるパイロットを使用して第2のVTP構成について行われるUE測定を含む、請求項14に記載のコントローラ。
【請求項２２】
前記サービス用VTP構成を選択するように構成される前記プロセッサは、前記選択されたUEのためのそれぞれのサービス用VTPとして、前記サービス用VTP構成について前記潜在的なサービス用VTPを選択するように構成される前記プロセッサを備える、請求項14に記載のコントローラ。
【請求項２３】
前記プロセッサは、複数の選択されたUEについて、前記潜在的なサービス用VTPを識別し、前記UE測定セットをスケジューリングし、前記UE測定命令を生成し、送信させ、前記サービス用VTP構成を選択するように構成される、請求項14に記載のコントローラ。
【請求項２４】
前記少なくとも1つのUE中心の基準は、UE位置を含む、請求項14に記載のコントローラ。
【請求項２５】
前記少なくとも1つのUE中心の基準は、UEサービス品質(QoS)を含む、請求項14に記載のコントローラ。
【請求項２６】
前記少なくとも1つのUE中心の基準は、UE体感品質(QoE)を含む、請求項14に記載のコントローラ。
【発明の詳細な説明】
【技術分野】
【０００１】
本特許出願は、参照により本明細書にここで組み込まれる、2014年10月30日に出願され、「Method and Controller for Low-Overhead User Equipment Measurement」と題された米国特許出願第14/528,878号の優先権を主張するものである。
【０００２】
本発明は、一般に、低オーバヘッドユーザ機器(UE)測定のためのシステムおよび方法に関し、特定の実施形態においては、UEと複数の送信ポイントとの間のチャンネルを測定するためのコントローラおよび方法に関する。
【背景技術】
【０００３】
典型的なワイヤレスネットワークは、カバレッジエリアに広がり、仮想送信ポイント(VTP:virtual transmit point)と呼ばれる1つまたは複数の協調セットにグループ化され得る、多くの送信ポイント(TP:transmit point)を含む。VTPは、動的ポイント選択(DPS)または共同送信(JT)などのプロトコルに従って協調する、1つまたは複数のTPを含む。時にはセルと呼ばれるTPは、ネットワークのための任意のアクセスポイント、またはそのセクタである。ネットワーク通信は、時間および周波数リソースブロックにさらに分けられる。ネットワーク内の各VTPのメンバTPは、要求に従って変わり得る。所与のリソースブロックについて、各VTPのTP構成を指定する、1つまたは複数のVTP構成が存在する。VTP構成は、様々なTPおよびユーザ機器(UE)の間のチャンネルの測定に従って所与のリソースブロックについて選択され、その測定は、UEによって行われ、ネットワークへフィードバックされる。
【０００４】
UEは、所与のリソースブロックについてVTPによってサービスをされる。所与のUEにサービスをするVTPは、各リソースブロックによって変わり得る。所与のUEにサービスをするためのVTPおよび一定の送信パラメータの選択は、チャンネルの測定に従って行われ得る。
【０００５】
UE測定は、TPからUEへのパイロットの送信に基づいて行われる。TPは、典型的には、パイロットを複数のUEに向かってブロードキャストし、複数のUEは、次いで、それらの測定を行い、結果をネットワークに報告し、またはフィードバックする。UE測定は、典型的には、オーバヘッドを犠牲にして行われ、これは、パイロットを送信し、測定を行い、測定をネットワークに送信するために必要とされるネットワークリソースおよび処理リソースを含む。ネットワークは、典型的には、コントローラまたは基地局を通じて、測定を集約し、VTP構成を選択し、各UEにサービスをするためのVTPをそれぞれ割り当てる。コントローラは、測定をネットワークについての干渉、オーバヘッド、および精度要件と比較検討する。
【発明の概要】
【課題を解決するための手段】
【０００６】
本発明の実施形態は、複数のUEにサービスをするためのそれぞれのサービス用VTPを選択する方法と、この方法のためのワイヤレス通信システムコントローラとを提供する。
【０００７】
複数のUEにサービスをするためのサービス用VTPの構成を選択する実施形態の方法は、複数のVTPの間でのTPのそれぞれの割り当てを表す複数のVTP構成を識別するステップを含む。複数のVTPの各々は、少なくとも1つのTPを含む。本方法は、複数のVTP構成の各々について、少なくとも1つのUE中心の基準に従って、複数のUE内の選択されたUEについての潜在的なサービス用VTPを識別するステップをさらに含む。潜在的なサービス用VTPは、複数のVTP構成の各々について複数のVTPの中から選択される。次いで、UE測定セットが、測定パラメータに従って、スケジューリングされるチャンネルリソースについて潜在的なサービス用VTPのためにスケジューリングされる。本方法は、UE測定フィードバックに従って、複数のVTP構成からサービス用VTP構成を選択するステップをさらに含む。UE測定フィードバックは、選択されたUEから受信される。
【０００８】
ワイヤレス通信システムのためのコントローラの実施形態は、メモリと、トランシーバと、メモリおよびトランシーバに結合されるプロセッサとを含む。ワイヤレス通信システムは、複数のUEがその中に配置される領域にサービスをするTPを含む。メモリは、複数のVTP構成を記憶するように構成され、TPは、複数のVTP構成に従って複数のVTPに割り当て可能である。複数のVTP構成の各々は、TPの割り当てを表す。トランシーバは、TPおよび複数のUE内の選択されたUEにUE測定命令を送信するように構成される。トランシーバは、複数のTPおよび選択されたUEからUE測定フィードバックを受信するようにも構成される。プロセッサは、少なくとも1つのUE中心の基準に従って、選択されたUEについて潜在的なサービス用VTPを識別するように構成される。潜在的なサービス用VTPは、複数のVTP構成の各々について識別される。プロセッサは、測定パラメータに従って、スケジューリングされたチャンネルリソースについて潜在的なサービス用VTPのためにUE測定セットをスケジューリングするようにも構成される。プロセッサは、UE測定セットに従って、UE測定命令を生成し、トランシーバにUE測定命令を送信させるようにさらに構成される。プロセッサは、トランシーバによって選択されたUEから受信されるUE測定フィードバックに従って、複数のVTP構成からサービス用VTP構成を選択するようにさらに構成される。
【０００９】
本発明およびその利点のより完全な理解のために、添付の図面と共に考慮される次の説明への参照がここで行われる。
【図面の簡単な説明】
【００１０】
【図１】ワイヤレス通信システムの一実施形態のブロック図である。
【図２】ワイヤレスネットワークの一実施形態の例示的な図である。
【図３】マルチVTP構成ワイヤレスネットワークの実施形態の例示的な図である。
【図４】セルエッジUEを有する、図3のマルチVTP構成ワイヤレスネットワーク実施形態の別の例示的な図である。
【図５】図3のマルチVTP構成ワイヤレスネットワーク実施形態のさらに別の例示的な図である。
【図６】リソースユニットグリッドの一実施形態の例示的な図である。
【図７】UEと複数のTPとの間のチャンネルを測定する方法の一実施形態の流れ図である。
【図８】UEと複数のTPとの間のチャンネルを測定する方法の別の実施形態の流れ図である。
【図９】ワイヤレス通信システムの一実施形態のブロック図である。
【図１０】ワイヤレス通信システムのためのコントローラの一実施形態のブロック図である。
【図１１】複数のUEにサービスをするためのそれぞれのサービス用VTPを選択する方法の一実施形態の流れ図である。
【発明を実施するための形態】
【００１１】
実施形態の作成および使用が、以下で詳細に論じられる。しかしながら、本発明は、多種多様な特定の文脈において具体化されることもある多くの応用および発明概念を提供することを認識すべきである。本明細書で論じられる特定の実施形態は、本発明を作成し、使用するための特定の方法の単に説明に役立つだけであり、本発明の範囲を限定しない。
【００１２】
UE測定のために使用されるオーバヘッドは、適切なときは、冗長性を除去することができ、いくらかの精度を犠牲にする、ある測定技法を用いて低減可能であることが、本明細書で実現される。ワイヤレス通信システム内の各UEは一般に、潜在的なサービス用TPまたは強い与干渉物である、限られた数のTPから強いパワーを受信することが、本明細書で実現される。UE測定は、それらのTPに集中している。他のTPから受信するどんなパワーも一般に、強いTPから受信するそれに関連してほんのわずかである。他のTPからの干渉は、合計干渉を近似するための集合内でUEによって測定可能であることが、本明細書で実現される。正確なUE測定は、UEがセルのエッジ上にまたは近くにあるときにより重要であることもまた、本明細書で実現される。UEが一般に、セルの中心にあるとき、VTP構成、VTP、および最終的にUEにサービスをするためのTPの選択は、セルの中心にあるTPから受信する比較的高いパワーのために、簡略化される。加えて、合計干渉が測定されるレートは、強いTPが所与のUEによって測定されるレートよりも小さくできることが、本明細書で実現される。さらに、時間および周波数ドメインにおけるこれらの測定のための更新レートの選択は、対応するVTP構成が選択されるレートに従って行われてもよいことが本明細書で実現される。
【００１３】
図1は、ワイヤレス通信システム100の一実施形態のブロック図である。ワイヤレス通信システム100は、UEから生じる通信を受信し、その通信をそれらのそれぞれの目的とする宛先に転送することによって、またはUEに向かうことになる通信を受信し、その通信をそれらのそれぞれの目的とするUEに転送することによって、UE120、UE130、UE140、およびUE150などの、1つまたは複数のUEにサービスをする基地局110を含む。いくつかのUEは、基地局110を通じて通信するのとは対照的に、互いに直接通信することができる。例えば、図1の実施形態では、UE160は、UE150に直接送信し、逆の場合も同じである。基地局110は、時にはアクセスポイント、NodeB、進化型NodeB(eNB)、コントローラ、または通信コントローラと呼ばれる。UE120〜160は、時には局、移動局、携帯電話、端末、ユーザ、または加入者と呼ばれる。
【００１４】
図2は、ワイヤレスネットワーク200の一実施形態の例示的図である。ワイヤレスネットワーク200は、3つのVTP、VTP210、VTP220、およびVTP230に分けられる、9つのセルまたはTPを含む。VTP210は、セル0、1、および2を含み、VTP220は、セル3、4、および5を含み、VTP230は、セル6、7、および8を含む。3つのVTPへの9つのセルの割り当ては、ワイヤレスネットワーク200のためのコントローラによって行われる。代替実施形態は、任意の数のセルを含むことができる。さらに、代替実施形態は、それらのセルを任意の数の、1つまたは複数のVTPの間で分けることができる。UEが、ワイヤレスネットワーク200によってサービスをされるべきとき、それは、3つのVTPの1つ内のTPによってサービスをされる。VTPの1つによってサービスをされている間に、UEにサービスをしていない任意のVTPからUEによって受信される任意の信号またはノイズは、干渉と考えられる。例えば、図2の実施形態では、UEが、VTP220によってサービスをされているとき、VTP210内のTP0、1、もしくは2から、またはVTP230内のTP6、7、もしくは8からUEによって受信される任意の信号またはノイズは、干渉と考えられる。
【００１５】
UEにサービスをするためのVTPおよびその中のTPの選択は、UEとTPとの間の様々なチャンネルの測定に従って行われる。これらの測定は、ワイヤレスネットワーク200によってサービスをされるべき任意の他のUEと一緒に、そのUEによって行われる。所与のTPとUEとの間のチャンネルを測定するために、UEは、様々なTPおよびUEの間での送信を観察する。ある測定は、TPからの既知の送信、またはパイロットを使用して行われる。例えば、VTP220によってサービスをされるべきUEを考える。UEは、それとTP3、4、および5との間のそれぞれのチャンネル、ならびにVTP210および230からの任意の干渉を測定する。TP3とUEとの間のチャンネルを測定するための一方法は、TP4および5にミュートするように、または送信しないように命令し、TP3にパイロットを送信するように命令することである。TP4および5とUEとの間のそれぞれのチャンネルは、3つの送信またはリソースユニットを利用して、同様に測定される。時にはリソース要素と呼ばれる、リソースユニットは、所与のワイヤレス通信システムに割り当てられる時間および周波数リソースの最も小さい分割である。VTP210および230からの干渉を測定するために、TP3、4、および5は、ミュートするように命令され、UEは、VTP210および230のTPからVTP220についてのチャンネル内に漏れる任意のパワーを聞き取る。干渉測定は事実上、VTP220の外部に生じるすべての干渉の集合である。干渉測定は、1つの送信またはリソースユニットを利用する。
【００１６】
図3は、マルチVTP構成ワイヤレスネットワーク300の一実施形態の例示的図である。ワイヤレスネットワーク300は、少なくとも1つのVTPに分けられる9つのセルを含む。ワイヤレスネットワーク300は、3つのVTP構成、VTP構成A、VTP構成B、およびVTP構成Cを含む。3つのVTP構成の各々は、1つまたは複数のVTPの間での9つのセルの異なる分割、または割り当てを指定する。代替実施形態は、任意の数のVTP構成を含むことができる。VTP構成Aは、図2の実施形態のワイヤレスネットワークの3つのVTP、VTP210、VTP220、およびVTP230を含む。VTP構成Bは、4つのVTP、VTP310、VTP320、VTP330、およびVTP340を含む。VTP310は、セル1および2を含む。VTP320は、セル3および5を含む。VTP330は、セル6および7を含む。VTP340は、セル0、4、および8を含む。VTP構成Cは、3つのVTP、VTP350、VTP360、およびVTP370を含む。VTP350は、セル0、2、および5を含む。VTP360は、セル3、4、および6を含む。VTP370は、セル7、8、および1を含む。
【００１７】
ワイヤレスネットワーク300によってサービスをされるべき所与のUEについて、UEは、各VTP構成について、それとそれにサービスをすることになるVTP内のTPとの間のそれぞれのチャンネルについての測定を必要とする。UEにサービスをするための所与のVTP構成内のVTPの選択は、少なくとも1つのUE中心の基準に従って行われる。UE中心の基準は、UEの位置、UEサービス品質(QoS)、およびUE体感品質(QoE)を含む。UE中心の基準は、潜在的なサービス用VTPの選択が各UEまたはUEの各グループについて最適化されることを可能にする。UE測定は次いで、所与のリソースブロックについて用いられるべきVTP構成を選択するために、ワイヤレスネットワーク300によってサービスをされるべき任意の他のUEによって行われる測定と一緒に使用される。例えば、セル5の近くのUEは、VTP構成A内のVTP220によって、VTP構成B内のVTP320によって、またはVTP構成C内のVTP350によってサービスをされてもよい。
【００１８】
UE測定は、ある程度の精度を有して、ある程度のオーバヘッドを費やして行われる。オーバヘッド対精度のバランスは、いくつかの技法を通じて調整可能である。UE測定のオーバヘッドコストは、セル当たりのリソースブロック当たりのリソースユニットとして表される。オーバヘッドコストの相違は、その各々がリソースユニットを消費するUE測定を行うために使用される様々なミュートおよびパイロット送信の間に見いだされる。加えて、測定に必要とされるオーバヘッドは、アンテナの数によるパラメータkおよび所与のTPについての様々な他のパラメータによって増減する。パラメータkは、チャンネルを適切に推定するために使用されるリソースユニットの数であり、TPの1つのポートについての特定の測定の精度とその1つのポートについてのオーバヘッドとの間のトレードオフを表す。ある実施形態では、所与のVTP構成について、基準UE測定は、パイロットを送信する1つのTPおよびミュートするすべての他のものを含み、セル当たりのリソースブロック当たり1k個のリソースユニットを消費する。その測定は、各強いパワーのTPについてUEによって繰り返される。基準UE測定はまた、すべての強いパワーのTPをミュートさせ、すべての他のTPにパイロットを送信するように命令することによって行われる合計干渉測定も含む。UEは、すべての弱いパワーのTPの総計パワーを測定する。
【００１９】
例えば、図3のVTP構成Aについて、VTP210、VTP220、およびVTP230についてのUE測定は、セル当たりのリソースブロック当たり(3+1)k個のリソースユニットのオーバヘッドコストを有する。このオーバヘッドコストに達するために、単一セル、例えばVTP220のセル3を考える。UEとTP3との間のチャンネルは、UEとTP4およびTP5との間の2つの他のものと一緒に測定される。TP3は、TP4およびTP5をミュートさせ、パイロットをTP3から送信することによって測定される。同様に、TP4は、TP3およびTP5をミュートさせ、パイロットをTP4から送信することによって測定され、TP5は、TP3およびTP4をミュートさせ、パイロットをTP5から送信することによって測定される。それは、セル当たり1つのパイロット送信および2つのミュートになり、セル当たりのリソースブロック当たり3k個のリソースユニットを与える。TP3、4、および5の各々は次いで、ミュートされ、一方TP0、1、2、6、7、および8は、パイロットを送信し、UEがそれらのTPからの合計干渉を測定することを可能にする。それは、セル当たり1つのミュートになり、セル当たりのリソースブロック当たり+1kのリソースユニットを与える。VTP210、VTP220、およびVTP230の各々は、3つのセルを有し、そのため、VTP構成AについてのUE測定の全オーバヘッドコストは、リソースブロック当たり9個のセルに(3+1)k個のリソースユニットを乗じたものである。VTP構成AについてのUE測定の平均オーバヘッドコストも、リソースブロック当たり(3+1)k個のリソースユニットである。
【００２０】
ここで、図3のVTP構成Bを考える。VTP310は、セル当たりのリソースブロック当たり(2+1)k個のリソースユニットを消費し、VTP320およびVTP330も同様である。3つのセルを有するVTP340は、セル当たりのリソースブロック当たり(3+1)k個のリソースユニットを消費する。VTP構成BについてのUE測定の全オーバヘッドコストは、リソースブロック当たり6個のセルに(2+1)k個のリソースユニットを乗じたものに、リソースブロック当たり3個のセルに(3+1)k個のリソースユニットを乗じたものを加えたものである。VTP構成BについてのUE測定の平均オーバヘッドコストは、セル当たりのリソースブロック当たり(2.33+1)k個のリソースユニットである。
【００２１】
VTP350、VTP360、およびVTP370は、VTP210、VTP220、およびVTP230と異なるが、各々は、3つのセルを含有するので、VTP構成Cについての基準UE測定のためのオーバヘッドコストは、VTP構成Aについてのコストに似ている。それに応じて、VTP構成Cについての基準UE測定のための平均オーバヘッドコストは、セル当たりのリソースブロック当たり(3+1)k個のリソースユニットである。
【００２２】
ある実施形態は、UE測定のオーバヘッドコストを低減するために、様々なVTP構成の間の類似度を使用する。第2のVTP構成内のVTPが、第1のVTP構成内の別のVTPのサブセットであるとき、第1のVTP構成についての測定は、第2のVTP構成のために使用されてもよい。例えば、図3の実施形態では、VTP構成BのVTP310は、VTP構成AのVTP210のサブセットである。VTP構成Aについてセル1および2のために行われるUE測定は、VTP構成Bのために再使用されてもよい。加えて、VTP構成A内のセル0のために行われるUE測定は、VTP構成Aについての合計干渉測定と組み合わされ、VTP構成Bについての合計干渉測定として再使用されてもよい。VTP構成AについてのUE測定はなお、セル当たりのリソースブロック当たり(3+1)k個のリソースユニットの平均オーバヘッドコストを有することになり、それは、基準オーバヘッドコストである。VTP構成Bについては、VTP310、VTP320、およびVTP330は、VTP210、VTP220、およびVTP230のそれぞれのサブセットであり、VTP構成AからのUE測定を再使用するため、オーバヘッドコストを有さない。VTP340は、VTP構成AからのどんなVTPのサブセットでもなく、したがって、セル当たりのリソースブロック当たり(3+1)k個のリソースユニットのオーバヘッドコストを有する。VTP構成BについてのUE測定のための平均オーバヘッドコストはその時、セル当たりのリソースブロック当たり(1+0.33)k個のリソースユニットである。VTP構成Cは、VTP構成B内のどんなVTPのサブセットであるVTPも有さず、したがってオーバヘッドの低減は、それらのVTP構成間のどんな類似度によっても達成されない。VTP構成CについてのUE測定のための平均オーバヘッドコストは、セル当たりのリソースブロック当たり(3+1)k個のリソースユニットである。
【００２３】
ある実施形態では、測定は、セルエッジUEに集中している。セルエッジUEは、所与のVTP内のセル間の境界上にまたは境界近くに位置するようにスケジューリングされているものである。図4は、様々なセルエッジUE410を有する図3のマルチVTP構成ワイヤレスネットワーク実施形態の例示的図である。VTP構成Aにおいては、VTP210は、セル0とセル2との間、セル0とセル1との間、およびセル1とセル2との間の境界にセルエッジUEを有する。VTP220は、セル3とセル5との間、セル3とセル4との間、およびセル4とセル5との間の境界にセルエッジUEを有する。VTP230は、セル6とセル8との間、セル6とセル7との間、およびセル7とセル8との間の境界にセルエッジUEを有する。VTP構成Bにおいては、VTP310は、セル1およびセル2の境界にセルエッジUEを有する。VTP320は、セル3およびセル5の境界にセルエッジUEを有する。VTP330は、セル6およびセル7の境界にセルエッジUEを有する。VTP340は、セル0とセル4との間、セル0とセル8との間、およびセル4とセル8との間の境界にセルエッジUEを有する。VTP構成Cにおいては、VTP350は、セル0とセル2との間およびセル0とセル5との間の境界にセルエッジUEを有する。VTP360は、セル3とセル4との間およびセル4とセル6との間の境界にセルエッジUEを有する。VTP370は、セル7とセル8との間およびセル1とセル8との間の境界にセルエッジUEを有する。
【００２４】
VTP構成Cについては、UE測定のオーバヘッドコストは、セルエッジのどちらか一方の側のTPについてUE測定を実行するだけによって低減可能である。例えば、VTP350については、セル0とセル2との間の境界のセルエッジUEは、セル0およびセル2についてUE測定を行うことができ、セル5からのどんな干渉も無視することができる。同様に、セル0とセル5との間の境界のセルエッジUEについては、UE測定は、セル0およびセル5について行うことができ、セル2からのどんな干渉も、無視することができる。VTP構成CについてのUE測定のためのオーバヘッドコストはその時、リソースブロック当たり(2+1)k個のリソースユニットの6倍である。UE測定のための平均オーバヘッドコストは、セル当たりのリソースブロック当たり(1.33+0.66)k個のリソースユニットである。
【００２５】
ある実施形態では、一定のTPが測定される頻度は、測定用UEに対するTPそれぞれの重要度に従って設定される。例えば、測定用UEにサービスをする可能性がより高い、強いTPは、弱いTPよりもより頻繁に測定される。より弱いTPについてのUE測定のオーバヘッドコストは、合計干渉測定をより少ない頻度で行うことによって低減することができる。例えば、図4では、VTP構成A内のセル3とセル5との間の境界上のUE410は、VTP210またはVTP230よりもVTP220によってサービスをされる可能性がより高い。そのUE、およびその近くの他のUEは、VTP210またはVTP230内のセルについてよりもより頻繁にVTP220内のセルについてUE測定を行い得る。VTP220についての基準UE測定のための平均オーバヘッドコストは、セル当たりのリソースブロック当たり(3+1)k個のリソースユニットである。測定レートの逓減は、合計干渉測定に割り当てられるセル当たりのリソースブロック当たり+1k個のリソースユニットに影響を与える。この低減は、セル当たりのリソースブロック当たり+1k個のリソースユニットに適用されるスカラーαとして表され、ただしα<1である。
【００２６】
マルチVTP構成ワイヤレスネットワークにおいては、時々あるVTP構成が、他のものよりも頻繁に選択される。ある実施形態では、UE測定が、様々なVTP構成について実行される、時間または周波数ドメインにおけるそれぞれのレートは、どのくらい頻繁にそれらのVTP構成が選択されるかに従って変化する。例えば、図4の実施形態では、VTP構成Aは、時間の90%選択されてもよく、一方VTP構成BおよびVTP構成Cはそれぞれ、時間の約5%選択される。その場合、VTP構成BおよびVTP構成Cが測定される頻度は、低減されてもよい。いくつかの実施形態では、頻度低減は、最も選択されるVTP構成に対して規格化される、1つのVTP構成が選択される時間の割合の関数とすることができる。上記の例を継続すると、もしVTP構成Bが、時間の5%選択され、VTP構成Aが90%選択されるならば、頻度は、0.05/0.9だけ低減されることもあり得る。頻度低減に起因するUE測定のオーバヘッドコストの低減は、所与のVTP構成についての平均オーバヘッドコストに適用されるスカラーとして表される。VTP構成Cは、基準UE測定についてセル当たりのリソースブロック当たり(3+1)k個のリソースユニットの平均オーバヘッドコストを有する。VTP構成Cが測定される頻度の低減を伴う平均オーバヘッドコストは、セル当たりのリソースブロック当たり0.05/0.9・(3+1)k個のリソースユニットである。
【００２７】
図5は、図3および図4のマルチVTP構成ワイヤレスネットワーク実施形態の別の例示的図である。ワイヤレスネットワーク500は、VTP構成AおよびVTP構成Bを含む。VTP構成Aは、図2、図3、および図4のVTP210、VTP220、およびVTP230を含む。VTP構成Bは、図3および図4のVTP310、VTP320、VTP330、およびVTP340を含む。ワイヤレスネットワーク500は、UEの3つのグループ、UE510、UE520、およびUE530にサービスをしている。UEのグループは、1つまたは複数のUEである。UE510は、セル0内に位置し、UE520は、セル4内に位置し、UE530は、セル8内に位置する。
【００２８】
ある実施形態では、1つのVTP構成からの漏れ聞こえたパイロットは、精度を改善するまたはオーバヘッドを低減するために、別のVTP構成において使用されてもよい。例えば、図5の実施形態では、セル0内のUE510は、VTP構成A内のVTP210についてUE測定を行うようにスケジューリングされることになる。セル0、1、および2についてTPからパイロットを受信することに加えて、UE510はまた、測定がVTP構成Aについて行われるときにセル4およびセル8から送信されるパイロットも漏れ聞くことができる。同様に、UE520は、セル0およびセル8からのパイロットを漏れ聞くことができ、UE530は、セル4およびセル0からのパイロットを漏れ聞くことができる。これらの漏れ聞こえたパイロットは、VTP構成BのVTP340についてのUE測定のために使用されてもよい。UE測定は、一般にVTP構成BについてのUE測定の精度を向上させるためにまたはVTP構成BについてのUE測定の時間または周波数ドメインにおけるレートを低減するために、漏れ聞こえたパイロットをいろいろな方法で使用することができる。漏れ聞こえたパイロットは、基準UE測定のために追加のデータポイントを提供することによってVTP構成BのUE測定の精度を向上させることができる。それに応じて、UE測定レートは、UE測定について精度およびオーバヘッドコストの所望のバランスを達成するように調整されてもよい。漏れ聞こえたパイロットに起因する精度の獲得は、周波数ドメインもしくは時間ドメイン、または両方においてUE測定レートを低減することによって相殺されてもよい。
【００２９】
図6は、リソースユニットグリッド600の一実施形態の例示である。リソースユニットグリッド600は、二次元であり、水平に走る時間軸、および垂直に走る周波数軸を有する。UE測定について1つのリソースユニットのリソース割り当ては、リソースユニットグリッド600においてパターン充填された正方形によって示される。リソースユニットグリッド600-Aでは、UE測定は、リソースユニットの間で高密度に割り当てられる。リソースユニットグリッド600-Bでは、UE測定は、リソースユニットグリッド600-Aに対して、リソースユニットの間でより低密度に割り当てられる。
【００３０】
ある実施形態では、1つのVTP構成が、別のものよりも多いまたは少ない頻度で選択されるとき、所与のVTP構成についてUE測定のためのリソース割り当ての密度は、どのくらい頻繁に所与のVTP構成が選択されるかに従って調整されてもよい。例えば、図6の実施形態では、リソースユニットグリッド600-Aは、潜在的なリソース割り当てを例示し、リソースユニットグリッド600-Bは、別のものを例示する。リソース割り当てはまた、パイロット/ミュートパターン密度と呼ばれることもある。リソースユニットグリッド600-Aは、VTP構成Aを表すこともあり、リソースユニットグリッド600-Bは、VTP構成Bを表すこともある。リソースユニットグリッド600-Bに対してリソースユニットグリッド600-Aにおけるリソース割り当ての密度は、VTP構成Aが、VTP構成Bよりも頻繁に選択されることを示唆する。時間ドメインにおいては、2つのリソースユニットごとに1つが、VTP構成AについてのUE測定のために割り当てられる。3つのソースユニットごとに1つが、VTP構成BについてのUE測定のために割り当てられる。周波数ドメインにおいては、3つのリソースユニットごとに1つが、VTP構成AについてのUE測定のために割り当てられ、一方4つのリソースユニットごとに1つが、VTP構成BについてのUE測定のために割り当てられる。
【００３１】
図7は、UEと複数のTPとの間のチャンネルを測定する方法の一実施形態の流れ図である。本方法は、開始ステップ710から始める。第1の個々の測定ステップ720において、少なくとも1つのUEが、第1のVTP構成について潜在的なサービス用TPのチャンネルを測定するために用いられる。UEは典型的には、潜在的なサービス用TPであるいくつかのTPから強いパワーを受信する。すべての他のTPは、潜在的な与干渉物である。第1のVTP構成内の1つの潜在的なサービス用TPについてチャンネルを測定することは一般に、その1つの潜在的なサービス用TPにパイロットを送信するように命令することおよび第1のVTP構成内のその他の潜在的なサービス用TPにミュートするように、または何も送信しないように命令することを含む。これは次いで、第1のVTP構成内の各潜在的なサービス用TPについて繰り返される。
【００３２】
第1の合計干渉測定ステップ730において、1つまたは複数のUEが、第1のVTP構成について潜在的な与干渉物TPについての合計干渉を測定するために用いられる。UEは一般に、それぞれの潜在的な与干渉物TPからわずかな量のパワーを受信する。合計干渉測定は、すべての干渉を単一干渉測定に集約する。合計干渉測定は、第1のVTP構成内のすべての潜在的なサービス用TPにミュートするように命令することによって行われ、UEが潜在的な与干渉物TPから受信される総計パワーを測定することを可能にする。
【００３３】
UE測定は次いで、第2のVTP構成について繰り返される。第2の個々の測定ステップ740において、少なくとも1つのUEが、第2のVTP構成について潜在的なサービス用TPのチャンネルを測定するために用いられる。第2の合計干渉測定ステップ750において、少なくとも1つのUEが、第2のVTP構成について潜在的な与干渉物TPについての合計干渉を測定するために用いられる。本方法は次いで、終了ステップ760において終了する。
【００３４】
図8は、UEと複数のTPとの間のチャンネルを測定する方法の別の実施形態の流れ図である。複数のTPは、1つまたは複数のVTPに分けられる。VTPへのTPの割り当ては、いろいろな方法で行われてもよく、各異なる割り当ては、異なるVTP構成である。本方法は、開始ステップ810から始める。基準ステップ820において、基準UE測定が、第1のVTP構成についてUEによって行われる。基準UE測定は、基準オーバヘッドコストを犠牲にして精度の基準レベルを提供する。ステップ830において、UE測定のオーバヘッドコストが、基準オーバヘッドに対して低減されてもよい。ステップ830において、第1のVTP構成と第2のVTP構成との間の類似度が、第2のVTP構成に必要とされるUE測定を低減するために使用される。第1のVTP構成内のVTPのサブセットである、第2のVTP構成内のVTPについて、第1のVTP構成についてのUE測定が、第2のVTP構成のために使用されてもよい。代替実施形態では、ステップ830は、精度およびオーバヘッドをバランスさせるための別の技法を選択して省略される。
【００３５】
ステップ840において、UE測定は、UE測定オーバヘッドを低減するためにセルエッジUEに集中している。非セルエッジUEについてのUE測定を低減することによって、UE測定の精度は、低減される。代替実施形態では、ステップ840は、精度およびオーバヘッドをバランスさせるための別の技法を選択して省略されてもよい。セルエッジUEに集中させることは、基準UE測定およびステップ830の技法と組み合わせて使用されてもよい。
【００３６】
ステップ850において、UE測定オーバヘッドは、所与のUEが、合計干渉測定を介して測定される、あまり重要でないTP、特に潜在的な与干渉物であるそれらを測定するレートを低減することによって低減される。UE測定レートの低減はまた、それらの測定の精度も低減するが、しかしながら、精度は、潜在的なサービス用TPにとってより重要である。合計干渉測定についてのUE測定レートは、合計干渉測定についての所望の精度およびそれらのUE測定についての許容可能なオーバヘッドコストに従って設定される。代替実施形態は、精度およびオーバヘッドをバランスさせるための別の技法を選択してステップ850を省略することもある。
【００３７】
ステップ860において、UE測定が行われるレートは、所与のVTP構成についての選択レートに従って、時間ドメイン、周波数ドメイン、または両方において調整される。より頻繁に選択されるVTP構成は、より頻繁に測定され、一方あまり頻繁に選択されないVTP構成は、あまり頻繁に測定されない。より頻繁に選択されるVTP構成については、周波数ドメインにおけるパイロット/ミュートパターン密度または時間ドメインにおけるパイロット/ミュートパターン密度は、そのVTP構成についてのUE測定の精度を向上させるために増加されてもよい。時間ドメインまたは周波数ドメインのパイロット/ミュートパターン密度の増加は、オーバヘッドコストの増加を引き起こす。あまり頻繁に選択されないVTP構成については、周波数ドメインにおけるパイロット/ミュートパターン密度または時間ドメインにおけるパイロット/ミュートパターン密度は、それらのUE測定のオーバヘッドを低減するために低減されてもよい。加えて、パイロット/ミュートパターン密度の低減は、UE測定についての精度の低減を引き起こす。UE測定レートの正確な比率は、ワイヤレスネットワークについての精度およびオーバヘッド要件に従って設定される。代替実施形態では、ステップ860は、精度およびオーバヘッドをバランスさせるための別の技法を選択して省略されてもよい。
【００３８】
ステップ870において、第1のVTP構成を測定している間に漏れ聞こえるパイロットは、第2のVTP構成についての測定のために使用される。漏れ聞こえたパイロットは、第2のVTP構成についての測定の精度を向上させるために使用されてもよい。漏れ聞こえたパイロットはまた、第2のVTP構成についての測定レートの低減も可能にし、それによって第2のVTP構成についてのUE測定のためのオーバヘッドを低減する。代替実施形態は、精度およびオーバヘッドをバランスさせるための他の技法を選択してステップ870を省略することもある。本方法は次いで、終了ステップ880において終了する。
【００３９】
図9は、ワイヤレス通信システム900の一実施形態のブロック図である。ワイヤレス通信システム900は、コントローラ910、複数のTP920-1〜920-10、およびUE930を含む。TP920-1〜920-10は、UE930がその中に配置される領域をカバーする。TP920-1〜920-10は、1つまたは複数のVTPに分割されてもよい。分割は、1つまたは複数のVTP構成に従ってコントローラ910によって実行される。コントローラ910は、いろいろな他の潜在的なパラメータの間で、UE930によって行われる測定に従ってTP920-1〜920-10をVTPに分割するためのVTP構成を選択する。UE930は、それとTP920-1〜920-10との間のチャンネルについてUE測定を行うように構成される。
【００４０】
UE測定を行うために、コントローラ910は、TP920-1〜920-10の各々にパイロットを送信するかまたはミュートするように命令する。コントローラ910はまた、TP920-1〜920-10のどれがパイロットを送信しており、どれがミュートしているかに関してUE930にも命令する。送信するTPは、UE930が受信し、UE930とそのTPとの間のチャンネルを測定するために使用するパイロットをブロードキャストする。1つのチャンネルを測定するために、コントローラ910は、1つの潜在的なサービス用TPにパイロットを送信するように命令し、すべての他の潜在的なサービス用TPにミュートするように命令する。潜在的なサービス用TPは、UE930が強いパワーを受信するそれらであり、それらは典型的には、最も近いTPである。図9の実施形態では、潜在的なサービス用TPは、TP920-4、TP920-5、TP920-6、およびTP920-7である。この手順は次いで、潜在的なサービス用TPの各々について繰り返される。干渉を測定するために、コントローラ910は、すべての潜在的なサービス用TPにミュートするように命令し、すべての潜在的な与干渉物TPに送信するように命令する。図9の実施形態での潜在的な与干渉物TPは、TP920-1、TP920-2、およびTP920-3、ならびにTP920-8、TP920-9、およびTP920-10である。UE930は次いで、すべての潜在的な与干渉物TPからの総計信号を表す合計干渉測定を行う。
【００４１】
図10は、ワイヤレス通信システムのためのコントローラ1000の一実施形態のブロック図である。コントローラ1000は、プロセッサ1010、メモリ1020、およびトランシーバ1030を含み、すべてが、データバス1040に結合される。プロセッサ1010は、データバス1040を通じてメモリ1020にアクセスするように構成され、それがデータをメモリ1020に書き込み、メモリ1020から読み出すことを可能にする。プロセッサ1010はさらに、トランシーバ1030を通じてデータを送信し、受信するように構成される。トランシーバ1030は、1つまたは複数のTPおよび1つまたは複数のUEを含むことができるワイヤレス通信ネットワークへのインターフェースとしての役割を果たす。トランシーバ1030は、ある実施形態では、様々な通信プロトコルを実装するためのそれ自身の専用のメモリおよびプロセッサ、ならびにネットワークインターフェースを含むことができる。ネットワークインターフェースは、物理的接続部または1つもしくは複数のアンテナを介したワイヤレス接続部を含む。
【００４２】
メモリ1020は、VTP構成データ構造に従って少なくとも1つのVTP構成を記憶するように構成される。図10の実施形態では、メモリ1020は、3つのVTP構成、VTP構成1 1050-1、VTP構成2 1050-2、およびVTP構成3 1050-3を記憶するように構成される。各VTP構成は、1つまたは複数のVTPへのワイヤレス通信システム内の様々なTPの分割を記述する。プロセッサ1010は、様々なVTP構成について分割を行い、それらをVTP構成データ構造に従ってメモリ1020に書き込むように構成される。所与のVTP内のTPの数は、VTPごとに変化してもよい。VTP構成内のVTPの数は、VTP構成ごとに変化してもよい。所与のワイヤレス通信システムについて生成されるVTP構成の数は、システムおよびリソースブロックごとに変化してもよい。
【００４３】
プロセッサ1010は、各リソースブロックについてワイヤレス通信システム内のアクティブなUEにサービスをするためのVTP構成を選択するタスクを課せられる。選択されるVTP構成は、リソースブロックごとに変化してもよい。VTP構成選択は、UEとワイヤレス通信システムを作成する様々なTPとの間のそれぞれのチャンネルについて行われるUE測定を含む、いろいろなパラメータに従って行われる。プロセッサ1010は、各リソースブロックについてのUE測定をスケジューリングする。プロセッサ1010は、トランシーバ1030にTPおよびUEへの様々な命令を送信させる。TPへの命令は典型的には、パイロットを送信するかまたはミュートするためである。パイロットは、チャンネルを推定するために使用されるシーケンスであり、所与のUEに特有である。各UEは、1つまたは複数の特有のパイロットを有することができる。UEへの命令は、いつパイロットが送信されるようにスケジューリングされているかの情報をUEに与え、UEが関連のあるUE測定を行うことを可能にする。UEは、パイロットを受信し、周波数ドメインおよび時間ドメインにおいて規定される、それらのそれぞれのチャンネルを測定する。UEは次いで、その測定をコントローラ1000に送信して戻す。プロセッサ1010は、トランシーバ1030を通じて所与のリソースブロックについてのUE測定を受信する。
【００４４】
図11は、複数のUEにサービスをするためのそれぞれのサービス用VTPを選択する方法の一実施形態の流れ図である。本方法は、開始ステップ1110から始める。形成ステップ1120において、コントローラが、複数のVTP構成を形成する。複数のVTP構成の各々は、複数のVTPの間でのTPの割り当てを表す。複数のVTPの各々は、少なくとも1つのTPを含む。識別ステップ1130において、複数のUEの各々のための潜在的なサービス用VTPが、少なくとも1つのUE中心の基準に従って識別される。潜在的なサービス用VTPは、複数のVTP構成の各々について複数のVTPの中から選択される。UE中心の基準は、とりわけ、UE位置、UE QoS、およびUE QoEを含むことができる。
【００４５】
UE測定セットは、スケジューリングステップ1140において、スケジューリングされるチャンネルリソースについてスケジューリングされる。UE測定セットは、測定パラメータに従ってスケジューリングされる。測定パラメータは、複数のVTP構成の間の類似度、UEの各々の重要度、複数のVTP構成の各々の重要度、および潜在的な干渉物TPから受信する相対パワーを含むことができる。
【００４６】
UE測定セットは、UE測定命令として複数のUEに伝えられる。複数のUEは、UE測定セットを実行し、UE測定フィードバックをコントローラに提供する。選択ステップ1150において、コントローラは、UE測定フィードバックに従って、複数のVTP構成からサービス用VTP構成を選択する。サービス用VTP構成を選択することによって、コントローラはまた、複数のUEのためのそれぞれのサービス用VTPとしてサービス用VTP構成について潜在的なサービス用VTPも選択する。本方法は次いで、終了ステップ1160において終了する。
【００４７】
本発明は、例示的実施形態を参照しつつ説明されてきたが、この説明は、限定的な意味で解釈されることを意図されていない。例示的実施形態の様々な変形および組み合わせ、ならびに本発明の他の実施形態は、説明を参照すれば当業者には明らかとなるであろう。したがって、添付の特許請求の範囲は、任意のそのような変形または実施形態を包含することを意図されている。
【符号の説明】
【００４８】
0  セル、TP(送信ポイント)
1  セル、TP
2  セル、TP
3  セル、TP
4  セル、TP
5  セル、TP
6  セル、TP
7  セル、TP
8  セル、TP
100  ワイヤレス通信システム
110  基地局
120  UE(ユーザ機器)
130  UE
140  UE
150  UE
160  UE
200  ワイヤレスネットワーク
210  VTP(仮想送信ポイント)
220  VTP
230  VTP
300  ワイヤレスネットワーク
310  VTP
320  VTP
330  VTP
340  VTP
350  VTP
360  VTP
370  VTP
410  セルエッジUE
500  ワイヤレスネットワーク
510  UEのグループ
520  UEのグループ
530  UEのグループ
600  リソースユニットグリッド
600-A  リソースユニットグリッド
600-B  リソースユニットグリッド
900  ワイヤレス通信システム
910  コントローラ
920-1  TP
920-2  TP
920-3  TP
920-4  TP
920-5  TP
920-6  TP
920-7  TP
920-8  TP
920-9  TP
920-10  TP
930  UE
1000  コントローラ
1010  プロセッサ
1020  メモリ
1030  トランシーバ
1040  データバス
1050-1  VTP構成1
1050-2  VTP構成2
1050-3  VTP構成3
【図１】
0006527944.tif 000002
【図２】
0006527944.tif 000003
【図３】
0006527944.tif 000004
【図４】
0006527944.tif 000005
【図５】
0006527944.tif 000006
【図６】
0006527944.tif 000007
【図７】
0006527944.tif 000008
【図８】
0006527944.tif 000009
【図９】
0006527944.tif 000010
【図１０】
0006527944.tif 000011
【図１１】
0006527944.tif 000012